(57)【要約】【課題】コイルバネが圧縮される際にその軸が蛇行するおそれがなくスムーズな伸縮動作が可能で、移動型物の動きを良好にできる電子部品を提供する。【解決手段】下ケース（固定側部材）４０内にスライド移動自在に設置された移動型物５０と、移動型物５０の移動により電気的出力が変化する電気的機能部１００と、移動型物５０に設けたコイルバネ収納部５４に設置されたコイルバネ６０と、下ケース４０に設けた一対のコイルバネ係止部４８ｃ，４８ｄとを備え、移動型物５０が移動する際に、コイルバネ６０が一方のコイルバネ係止部４８ｃ（４８ｄ）とコイルバネ収納部５４の内側面５４ｄ（５４ｃ）との間に挟まれて圧縮されることで、移動型物５０を所定位置へ復帰させる復帰力が生じる電子部品において、コイルバネ６０の内部に挿通配置された芯材６１を備え、この芯材でコイルバネ６０の伸縮をガイドするように構成した。【選択図】図４
2007335189.tif 000002
【特許請求の範囲】
【請求項１】
固定側部材と、前記固定側部材に対して移動自在に設置された移動型物と、前記移動型物の移動により電気的出力が変化する電気的機能部と、前記移動型物又は固定側部材の何れか一方に設けた収納部に設置されたコイルバネと、前記移動型物又は固定側部材の何れか他方に設けた前記コイルバネの端部を係止するコイルバネ係止部とを備え、前記移動型物が移動する際に、前記コイルバネが前記コイルバネ係止部と前記収納部との間に挟まれて圧縮されることで前記移動型物を所定位置へ復帰させる復帰力が生じる電子部品において、
前記コイルバネの内部に挿通配置された芯材を備え、この芯材で前記コイルバネの伸縮をガイドするように構成したことを特徴とする電子部品。
【請求項２】
請求項１に記載の電子部品において、
前記コイルバネの両端に、前記コイルバネ係止部及び前記収納部に当接するガイド部材を取り付けたことを特徴とする電子部品。
【請求項３】
請求項１又は２に記載の電子部品において、
前記コイルバネ係止部に、前記芯材の側面に当接して該芯材を位置決めする位置決め部を設けたことを特徴とする電子部品。
【発明の詳細な説明】
【技術分野】
【０００１】
本発明は、移動型物の移動により電気的機能部の電気的出力が変化する構造の電子部品に関するものである。
【背景技術】
【０００２】
従来、例えば特許文献１に示すように、ケースなどの固定側部材と、この固定側部材に対して移動自在に設置された移動型物と、この移動型物の移動により電気的出力が変化する電気的機能部とを備えたスイッチなどの電子部品がある。そして、この種の電子部品には、固定側部材又は移動型物に設けた溝状の収納部内に設置されたコイルバネと、移動型物又は固定側部材に設けたコイルバネの両端を係止する一対のコイルバネ係止部とを備え、移動型物が移動する際に、コイルバネがコイルバネ係止部の一方と収納部の内側面の間に挟まれて圧縮されることで、移動型物を所定位置へ復帰させる復帰力が生じるように構成したものがある。
【特許文献１】特開平８−２７３４８４号公報
【発明の開示】
【発明が解決しようとする課題】
【０００３】
上記の電子部品では、固定側部材又は移動型物の溝状の収納部内に設置されたコイルバネは、その側面が収納部の内面に保持された状態で設置されている。しかしながら、コイルバネが収納部の内面に保持されていると、移動型物の移動によってコイルバネが圧縮された際に、反発力によって収納部内でコイルバネの軸（コイル軸）が蛇行した状態になってしまい、スムーズに伸縮することができなくなるおそれがあり、これにより移動型物の動きが滑らかでなくなってしまうという問題があった。また、コイルバネが蛇行すると、移動型物の移動の際にコイルバネから騒音（コイルバネの線材の接触音等）が発生するという問題もあった。
【０００４】
本発明は上述の点に鑑みてなされたものでありその目的は、コイルバネが圧縮される際にその軸が蛇行するおそれがなくスムーズな伸縮動作が可能で、移動型物の動きを良好にすることができる電子部品を提供することにある。
【課題を解決するための手段】
【０００５】
上記課題を解決するため本願の請求項１に記載の発明は、固定側部材と、前記固定側部材に対して移動自在に設置された移動型物と、前記移動型物の移動により電気的出力が変化する電気的機能部と、前記移動型物又は固定側部材の何れか一方に設けた収納部に設置されたコイルバネと、前記移動型物又は固定側部材の何れか他方に設けた前記コイルバネの端部を係止するコイルバネ係止部とを備え、前記移動型物が移動する際に、前記コイルバネが前記コイルバネ係止部と前記収納部との間に挟まれて圧縮されることで前記移動型物を所定位置へ復帰させる復帰力が生じる電子部品において、前記コイルバネの内部に挿通配置された芯材を備え、この芯材で前記コイルバネの伸縮をガイドするように構成したことを特徴とする。
【０００６】
本願の請求項２に記載の発明は、請求項１に記載の電子部品において、前記コイルバネの両端に、前記コイルバネ係止部及び前記収納部に当接するガイド部材を取り付けたことを特徴とする。
【０００７】
本願の請求項３に記載の発明は、請求項１又は２に記載の電子部品において、前記コイルバネ係止部に、前記芯材の側面に当接して該芯材を位置決めする位置決め部を設けたことを特徴とする。
【発明の効果】
【０００８】
本願の請求項１に記載の発明によれば、コイルバネの内部に挿通配置された芯材を備え、この芯材でコイルバネの伸縮をガイドするように構成したので、コイルバネが移動型物の移動によって圧縮される際にその軸（コイル軸）が蛇行するおそれがないので、コイルバネがスムーズに伸縮できる。これにより移動型物の動作が滑らかになるので、操作性に優れた電子部品となる。また、移動型物の移動の際にコイルバネから騒音が発生するおそれがなくなる。
【０００９】
本願の請求項２に記載の発明によれば、コイルバネの両端に、コイルバネ係止部及び収納部に当接するガイド部材を取り付けたので、コイルバネ係止部や収納部でコイルバネを確実に圧縮させることができる。
【００１０】
本願の請求項３に記載の発明によれば、コイルバネ係止部に、芯材の側面に当接して該芯材を位置決めする位置決め部を設けたので、移動型物又は固定側部材に対して芯材を正確に位置決めすることができ、コイルバネの伸縮がさらにスムーズになる。
【発明を実施するための最良の形態】
【００１１】
以下、本発明の実施形態を図面に基づいて詳細に説明する。
〔第１実施形態〕
図１及び図２は、本発明の第１実施形態にかかる電子部品（以下、本実施形態では「スライド式スイッチ」という）の分解斜視図で、図１はその上側部分、図２はその下側部分の構成部品を示す図である。このスライド式スイッチは、図１に示すつまみ１０と外装ケース３０とからなるスイッチ操作部１と、図２に示す固定側部材（以下、本実施形態では「下ケース」という）４０と、コイルバネ６０や芯材６１などが取り付けられる移動型物５０と、摺動子７０と、フレキシブル回路基板８０と、他の固定側部材（以下、本実施形態では「取付部材」という）９０とからなるスイッチ機能部２を備えて構成されている。以下、各構成部品について説明する。なお以下の説明では、このスライド式スイッチにおいてつまみ１０と移動型物５０が一体に直線方向に沿ってスライド移動する方向（図１、図２の矢印で示す方向）をスライド方向と呼ぶ。
【００１２】
つまみ１０は、いずれも合成樹脂の成型品である操作部材１１と取付部材２１とからなり、操作部材１１の下面に取付部材２１を一体に取り付けて構成されている。操作部材１１は、外形が略長方形状の平板状に形成され、上面に指などで操作する突起状の操作部１２が形成され、下面には下方に向かって突出する二個の突起状の固定部１３が設けられている。一方、取付部材２１は、操作部材１１の外形と略同一形状である略長方形の平板状に形成され、操作部材１１の固定部１３に対応する位置に貫通穴からなる取付固定部２２が設けられ、この取付固定部２２の下面外周には凹部２２ａが形成されている。またこの取付部材２１のスライド方向に向かう両側面２１ａ，２１ｂには、矩形状に切り込まれた切込部２４ａ，２４ｂが形成され、この切込部２４ａ，２４ｂの側面から下方に向かって係合爪２５ａ，２５ｂが突出している。互いに同形状の係合爪２５ａ，２５ｂは、切込部２４ａ，２４ｂの側面から下方に向かう可撓性を有する薄板状の基部２６ａ，２６ｂと、その先端部（下端部）の近傍に設けた外側に向かって突出する係合用突起２７ａ，２７ｂとを備えた形状になっている。係合用突起２７ａ，２７ｂはその上面が略水平な平面状に形成され、その下面が取付部材２１の両外側（スライド方向に直交する両外側）に向かってそれぞれ上昇する傾斜面状に形成されている。
【００１３】
外装ケース３０は、スライド式スイッチを組み付ける例えばデジタルカメラなどの各種電子機器の合成樹脂製の外装ケースである。なお各図においては、外装ケース３０のつまみ１０を取り付ける部分とその周囲のみを図示している。この外装ケース３０は略平板状で、つまみ１０の係合爪２５ａ，２５ｂを挿通させる貫通穴３１ａ，３１ｂが形成されている。貫通穴３１ａ，３１ｂは互いに同形のスライド方向を長手方向とする長方形状で、これら２個の貫通穴３１ａ，３１ｂはスライド方向に直交する方向に沿って所定間隔で並べて設けられている。一方、外装ケース３０上面の貫通穴３１ａ，３１ｂの周囲には、つまみ１０の取付部材２１の下面をスライド移動自在に収納する収納溝３３が形成されている。この収納溝３３は、所定深さに形成されたスライド方向を長手方向とする長方形状の溝で、そのスライド方向に向かう両側面３４ａ，３４ｂの間の幅寸法が、つまみ１０の短手方向の幅寸法と略同一かそれよりも僅かに大きな寸法に形成されている。
【００１４】
次に、図２に示す下ケース４０は、金属製の板材などで構成され、スライド方向を長手方向とする略長方形の平板状に形成された上面部４１と、上面部４１の四辺から下方に向かって略直角に折り曲げられた側壁４２ａ〜４２ｄとを備えた箱型に形成され、下面側に開口する凹状の収納部４３を設けている。またスライド方向に向かう両側壁４２ａ，４２ｂの下端には、下方に向かって突出した細片状の固定部４４ａ，４４ｂが各二個ずつ形成されている。さらに側壁４２ａの固定部４４ａ，４４ａの間には、側壁４２ａの下端を矩形状に切り欠いてなる切欠部４５が設けられている。一方、上面部４１の側壁４２ｂの近傍位置には、スライド方向を長手方向とする略長方形状の貫通穴である開口部４６が設けられている。また、上面部４１の開口部４６と側壁４２ａとの間であってスライド方向の両側の近傍には、いずれも略正方形状の開口部４７ｃ，４７ｄが設けられている。これら開口部４７ｃ，４７ｄのスライド方向の両内側の辺に、根元部分が上面４１から下方に向かって略直角に折り曲げられてその先が収納部４３内に突出する略矩形の舌片状のコイルバネ係止部４８ｃ，４８ｄが形成されている。このコイルバネ係止部４８ｃ，４８ｄは、コイルバネ６０の全体のコイル長さを規定し、且つ移動型物５０の動作時にコイルバネ６０の端部を係止する働きをするものであり、一方のコイルバネ係止部４８ｃと他方のコイルバネ係止部４８ｄとの間隔は、下記する移動型物５０のコイルバネ収納部５４の長手方向の幅寸法と略等しい寸法になっている。また、コイルバネ係止部４８ｃ，４８ｄの下端には、下記する芯材６１の側面形状に沿う略半円弧状に切り欠かれた切り欠きからなる位置決め部４９ｃ，４９ｄが形成されている。なお、コイルバネ係止部４８ｃ，４８ｄは、下端に向かうにつれて両者間の間隔が広がるように若干ハ字状に開いた形状に形成されている。これにより、スライド式スイッチの組み立ての際に、コイルバネ係止部４８ｃ，４８ｄの間にコイルバネ６０とガイド部材６２ｃ，６２ｄを設置し易くしている。
【００１５】
移動型物５０は、スライド方向に向かう長手方向の側面５１ａ，５１ｂとスライド方向に直交する方向に向かう短手方向の側面５１ｃ，５１ｄとを備え、所定の厚さ寸法を有する略長方形の平板状に形成された合成樹脂の成型品である。そして両側面５１ａ，５１ｂ間の幅寸法が、下ケース４０の両側壁４２ａ，４２ｂの内面間の幅寸法よりも若干小さく形成されていて、移動型物５０が収納部４３内で側壁４２ａ，４２ｂにガイドされてスライド方向に移動自在となるように形成されている。また側面５１ａ，５１ｂの下端には、各々下方に突出してスライド方向に向かって形成された突起状の案内部５２ａ，５２ｂが設けられている。一方、上面の側面５１ｂに近い位置には、略矩形状の所定深さの凹部からなる被係合部５３が設けられている。この被係合部５３のスライド方向の幅寸法は、つまみ１０の係合爪２５ｂのスライド方向の幅寸法と略同一の寸法に形成されている。また移動型物５０の上面の被係合部５３と側面５１ａとの間には、スライド方向を長手方向とする略長方形状の貫通穴であるコイルバネ収納部（収納部）５４が設けられている。このコイルバネ収納部５４の長手方向の中間部には、コイルバネ収納部５４の長手方向に向かう両側面５４ａ，５４ｂの間に掛け渡された所定幅の柱状のコイルバネ保持部５５が形成され、このコイルバネ保持部５５の中間部には、コイルバネ６０の側面を保持（載置）可能な半円筒形状に形成された保持溝５５ａが設けられている。また、コイルバネ収納部５４の長手方向の両端部にはこれを塞ぐ板状の係止部５６ｃ，５６ｄが設けられ、これら係止部５６ｃ，５６ｄの内面がコイルバネ収納部５４の短手方向に向かう内側面５４ｃ，５４ｄになっている。また係止部５６ｃ，５６ｄの中央部には、その上端から略コ字状に切り込まれた切込部５７ｃ，５７ｄが設けられている。
【００１６】
一方、移動型物５０の側面５１ａには、水平方向外側に向かって突出する略平板状の突出部５８が設けられ、この突出部５８の上面に、スライド方向に沿って所定間隔で並べて設けられた二個の突起５８ｃ，５８ｄの間に形成された溝状の被係合部５９が設けられている。この被係合部５９のスライド方向の幅寸法（突起５８ｃ，５８ｄの側面間の幅寸法）は、つまみ１０の係合爪２５ａのスライド方向の幅寸法と略同一の寸法に形成されている。そして被係合部５３と被係合部５９とは、スライド方向における同一の位置に設けられており、スライド式スイッチを組み立てた際に、被係合部５３に係合爪２５ｂの先端部が係合し、被係合部５９に係合爪２５ａの先端部が係合するようになっている。一方、移動型物５０の下面の所定位置には、摺動子７０を取り付ける突起状の固定部６５が設けられている。
【００１７】
コイルバネ６０は、弾性金属製の線材をコイル状に巻回して構成されたもので、軸方向（コイル軸方向）に圧縮されることで弾発力（弾性復帰力）を生じるバネ材である。一方、コイルバネ６０の内部に挿通配置される芯材６１は、金属製の円柱棒状部材で、その外径がコイルバネ６０の内径よりも僅かに小さな寸法で、長さが下ケース４０の側壁４２ｃ，４２ｄの内側の幅寸法よりも僅かに短い寸法に形成されている。またコイルバネ６０の両端部に取り付けられる一対のガイド部材６２ｃ，６２ｄは、合成樹脂製の部材で外形が互いに同一の直方体形状で、その長手方向の幅寸法がコイルバネ収納部５４の内側面５４ａ，５４ｂ間の幅寸法（コイルバネ収納部５４の短手方向の幅寸法）と略同一の寸法に形成されている。一方、このガイド部材６２ｃ，６２ｄの長手方向に向かう側面には、円形の貫通穴からなる挿通部６３ｃ，６３ｄが形成されている。この挿通部６３ｃ，６３ｄの内径は、芯材６１の外径よりも僅かに大きな寸法になっている。
【００１８】
摺動子７０は、導電性を有する弾性金属板によって構成され、平板状の基部７１の一端から二本の摺動冊子７２を突出し、これらを基部７１の下側に折り曲げて形成されている。基部７１には貫通穴からなる取付固定部７３が設けられている。
【００１９】
フレキシブル回路基板８０は、可撓性を有する合成樹脂フイルム（ポリエチレンテレフタレートフイルム〔ＰＥＴフイルム〕等）製で、摺動子７０の摺動冊子７２が摺接する位置に、導電塗料を印刷形成してなる摺接パターン（以下、本実施形態では「スイッチパターン」という）８１が形成されていて、これがフレキシブル回路基板８０の表面に形成された図示しない回路パターンに接続されている。一方、下ケース４０の各固定部４４ａ，４４ｂに対応する位置には、矩形状の貫通穴からなる取付固定部８２が形成されている。なお図２では、フレキシブル回路基板８０は、その一部のみを図示している。
【００２０】
取付部材９０は、金属製あるいは合成樹脂製などの硬質板であり、フレキシブル回路基板８０の取付固定部８２に対応する位置に、取付固定部８２と同形状の矩形状の貫通穴からなる取付固定部９２を設けて構成されている。なお図２では、取付部材９０は、その一部のみを図示している。
【００２１】
次に、スライド式スイッチの組み立て手順を説明する。まず、スイッチ操作部１を組み立てる手順を説明すると、操作部材１１の下面に取付部材２１を取り付けてつまみ１０を組み立てる。その際、操作部材１１の固定部１３を取付部材２１の取付固定部２２に挿通させて、取付部材２１の下面側に突出した固定部１３の先端を熱カシメして固定する。ここでは、熱カシメした固定部１３の先端は、凹部２２ａ内に収まるため取付部材２１の下面から突出しない。次に、この組み立てたつまみ１０を外装ケース３０に取り付ける。このとき、つまみ１０の下面（取付部材２１の下面）を外装ケース３０の収納溝３３内に配置し、つまみ１０の係合爪２５ａ，２５ｂを貫通穴３１ａ，３１ｂに挿入する。これにより係合爪２５ａ，２５ｂの係合用突起２７ａ，２７ｂが外装ケース３０下面の貫通穴３１ａ，３１ｂの外周にスナップイン係合して、つまみ１０が外装ケース３０に対してスライド方向に沿ってスライド移動自在となるように取り付けられる。またこのとき、係合爪２５ａ，２５ｂの先端部が貫通穴３１ａ，３１ｂから外装ケース３０の下面側に突出した状態になっている。以上によりスイッチ操作部１の組み立てが完了する。
【００２２】
次に、スイッチ機能部２を組み立てる手順を説明する。まず、ガイド部材６２ｃ，６２ｄをコイルバネ６０の両端部に取り付け、これらガイド部材６２ｃ，６２ｄの挿通部６３ｃ，６３ｄとコイルバネ６０の内部とに芯材６１を挿通する。これにより、芯材６１がコイルバネ６０の内部に同軸状に挿通配置されると共に、コイルバネ６０の両端に取り付けられたガイド部材６２ｃ，６２ｄにもこの芯材６１が挿通されて、その両端がガイド部材６２ｃ，６２ｄの両外側に突出する。その状態で移動型物５０のコイルバネ収納部５４にコイルバネ６０とガイド部材６２ｃ，６２ｄとを収納する。図３は、これらコイルバネ６０とガイド部材６２ｃ，６２ｄの収納状態を示す斜視図である。同図に示すように、コイルバネ６０を所定寸法圧縮した状態でガイド部材６２ｃ，６２ｄをコイルバネ収納部５４に収納することで、ガイド部材６２ｃ，６２ｄの側面をコイルバネ収納部５４の内側面５４ｃ，５４ｄ（係止部５６ｃ，５６ｄの内面）に弾接させる。このときコイルバネ収納部５４内に配置されたコイルバネ６０の中間部が保持溝５５ａ上に載置されて保持されると共に、芯材６１の両端が切込部５７ｃ，５７ｄから移動型物５０の両外側（長手方向の両外側）に突出した状態になる。またその一方で、固定部６５を摺動子７０の取付固定部７３に挿通させて、基部７１の下面側に突出した固定部６５の先端を熱カシメして固定することで、移動型物５０の下面に摺動子７０を取り付ける。
【００２３】
次に、上記の移動型物５０を下ケース４０の収納部４３に収納する。この際、下ケース４０のコイルバネ係止部４８ｃ，４８ｄをガイド部材６２ｃ，６２ｄの両外側に当接させて移動型物５０の切込部５７ｃ，５７ｄ内に挿入する。またこのとき、コイルバネ係止部４８ｃ，４８ｄの位置決め部４９ｃ，４９ｄが芯材６１の上側面に当接することで、該芯材６１の上側面が位置決め部４９ｃ，４９ｄで保持されて芯材６１の位置決め（軸方向に直交する方向の位置決め）がなされる。一方、移動型物５０の突出部５８の根元部分を下ケース４０の切欠部４５の下側に配置して、突出部５８の先端を切欠部４５から下ケース４０の外側に突出させて、被係合部５９を側壁４２ａの外側に配置する。またこのとき、もう一方の被係合部５３が、下ケース４０の開口部４６に露出した状態になる。この状態で、取付部材９０の上面にフレキシブル回路基板８０を重ね合わせたものを、下ケース４０の下面（側壁４２ａ〜４２ｄの下端面）に取り付ける。この際、下ケース４０の固定部４４ａ，４４ｂをフレキシブル回路基板８０の取付固定部８２と取付部材９０の取付固定部９２に挿通させて、取付部材９０の下面側に突出した固定部４４ａ，４４ｂを、それぞれ取付部材９０の内側に向けて折り曲げることで、これら各部材を一体に固定する。以上によりスイッチ機能部２の組み立てが完了する。
【００２４】
次に、上記手順によりあらかじめ組み立てたスイッチ操作部１の下側にスイッチ機能部２を配置し、スイッチ操作部１の係合爪２５ａ，２５ｂの先端部を、スイッチ機能部２の移動型物５０の被係合部５９，５３に係合させて取り付ける。ここでは上記したように係合爪２５ａ，２５ｂの幅寸法と被係合部５９，５３の幅寸法とが略同一の寸法に形成されているので、スライド方向において係合爪２５ａ，２５ｂが被係合部５９，５３内に固く係合し、つまみ１０と移動型物５０が外装ケース３０を介してその上下で一体に固定される。以上によりスライド式スイッチの組み立てが完了する。
【００２５】
図４は、組み立てたスライド式スイッチの構成を示す概略側断面図である。同図に示すようにこのスライド式スイッチは、外装ケース３０及び下ケース４０を介してその上下で一体にスライド移動自在に設置されたつまみ１０と移動型物５０とを備え、下ケース４０内に収納された移動型物５０のコイルバネ収納部５４内にコイルバネ６０とガイド部材６２ｃ，６２ｄが収納され、コイルバネ６０の内部とガイド部材６２ｃ，６２ｄの挿通部６３ｃ，６３ｄとに芯材６１が挿通され、この芯材６１の両端が切込部５７ｃ，５７ｄから移動型物５０の両外側の下ケース４０の収納部４３内に突出した状態になっている。また下ケース４０のコイルバネ係止部４８ｃ，４８ｄが移動型物５０の切込部５７ｃ，５７ｄに配置されて、ガイド部材６２ｃ，６２ｄの両外側に当接した状態になっている。一方、ガイド部材６２ｃ，６２ｄは、図３に示すようにその長手方向の両側面がコイルバネ収納部５４のスライド方向に向かう内側面５４ａ，５４ｂに当接していて、ガイド部材６２ｃ，６２ｄがコイルバネ収納部５４内をスライド移動する際にこの内側面５４ａ，５４ｂに摺接しながら移動するようになっている。また、移動型物５０に取り付けた摺動子７０とフレキシブル回路基板８０上に形成されたスイッチパターン８１とで、移動型物５０のスライド移動により電気的出力が変化する電気的機能部１００が構成されている。
【００２６】
図５はこのスライド式スイッチの動作を説明するための図である。同図を参照してスライド式スイッチの動作を説明する。つまみ１０を操作していない状態では、図５（ａ）に示すように移動型物５０が下ケース４０の収納部４３内の略中央に位置し、ガイド部材６２ｃ，６２ｄの両側面がそれぞれコイルバネ収納部５４の内側面５４ｃ，５４ｄと下ケース４０のコイルバネ係止部４８ｃ，４８ｄとに当接している。このときのつまみ１０と移動型物５０の位置を中立位置とする。この中立位置から、同図（ｂ）に示すようにつまみ１０をスライド方向の一方に向かって動かすと、つまみ１０と移動型物５０が一体にスライド移動して、摺動子７０の摺動冊子７２がスイッチパターン８１上を摺接してスイッチのオンオフ出力が変化する。このとき、下ケース４０のコイルバネ係止部４８ｄとこれに対向する移動型物５０のコイルバネ収納部５４の内側面５４ｃ（係止部５６ｃの内側面）との間に挟まれたコイルバネ６０が芯材６１でガイドされながら圧縮される。またこれにより、ガイド部材６２ｄがコイルバネ保持部５５に当接する位置までコイルバネ収納部５４内をスライド移動する。このガイド部材６２ｄのスライド移動は、コイルバネ収納部５４の内側面５４ａ，５４ｂ（図３参照）と芯材６１とによってガイドされる。コイルバネ６０が圧縮されることによって移動型物５０に中立位置への復帰力が生じているので、つまみ１０を操作する力を取り除くとコイルバネ６０が芯材６１にガイドされながら元の形状に復帰して、移動型物５０が同図（ａ）に示す中立位置に自動復帰し、スイッチのオンオフ出力が元の状態に戻る。
【００２７】
一方、同図（ｃ）に示すようにつまみ１０を中立位置からスライド方向の他方に向かって動かすと、つまみ１０と移動型物５０が一体にスライド移動し、摺動子７０の摺動冊子７２がスイッチパターン８１上を摺接してスイッチのオンオフ出力が変化する。このとき下ケース４０のコイルバネ係止部４８ｃとこれに対向するコイルバネ収納部５４の内側面５４ｄ（係止部５６ｄの内側面）との間に挟まれたコイルバネ６０が芯材６１でガイドされながら圧縮され、ガイド部材６２ｃがコイルバネ保持部５５に当接する位置までコイルバネ収納部５４内をスライド移動する。つまみ１０を操作する力を取り除くと、コイルバネ６０が芯材６１にガイドされながら元の形状に復帰して移動型物５０が同図（ａ）に示す中立位置に自動復帰し、スイッチのオンオフ出力が元の状態に戻る。
【００２８】
このスライド式スイッチは、コイルバネ６０の内部に同軸状に芯材６１を挿通配置しているので、上記のように芯材６１でコイルバネ６０の伸縮がガイドされる。したがって、コイルバネ６０が圧縮される際にその軸（コイル軸）が蛇行するおそれがなく、コイルバネ６０の伸縮がスムーズになるので、つまみ１０と移動型物５０のスライド移動が滑らかになる。また、つまみ１０と移動型物５０のスライド移動の際に、コイルバネ６０から騒音（コイルバネ６０の線材の接触音等）が発生するおそれがなくなる。
【００２９】
また、コイルバネ６０の両端に、コイルバネ係止部４８ｃ，４８ｄ及びコイルバネ収納部５４の内側面５４ｃ，５４ｄに当接するガイド部材６２ｃ，６２ｄを取り付けたので、コイルバネ６０がコイルバネ係止部４８ｃ，４８ｄや内側面５４ｃ，５４ｄによって確実に押圧されて圧縮されるようになる。さらにガイド部材６２ｃ，６２ｄのスライド移動が、芯材６１でガイドされていることで、ガイド部材６２ｃ，６２ｄのスライド移動がスムーズになるので、これによってもつまみ１０と移動型物５０のスライド移動が滑らかになり、スライド式スイッチの操作性が良好になる。また、コイルバネ６０が伸縮する際のガイド部材６２ｃ，６２ｄの移動は、コイルバネ収納部５４のスライド方向に沿った内面５４ａ，５４ｂによってもガイドされるので、ガイド部材６２ｃ，６２ｄのスライド移動がさらにスムーズになって移動型物５０のスライド移動がさらに滑らかになり、操作性に優れた電子部品となる。
【００３０】
〔第２実施形態〕
以下、本発明の第２実施形態にかかるスライド式スイッチについて説明する。なお、本実施形態にかかるスライド式スイッチにおいては、上記の第１実施形態にかかるスライド式スイッチと同一又は相当部分には同一又は相当する符号を付し、その詳細な説明は省略する。また、以下で説明する事項以外の事項については、上記の第１実施形態と同じである。図６は、本実施形態にかかるスライド式スイッチの概略構成を示す正面図（一部断面図）である。上記の第１実施形態のスライド式スイッチでは、つまみ１０と移動型物５０が一体に直線方向に沿ってスライド移動する構成であったのに対して、図６に示す本実施形態のスライド式スイッチは、つまみ１０−２と移動型物５０−２が一体に円弧状の曲線に沿ってスライド移動するように構成したものである。
【００３１】
即ち、図６に示すスライド式スイッチは、合成樹脂製の成型品である固定側部材１１０を備えると共に、該固定側部材１１０に形成された略円弧形状（扇形状）の凹部１１１内に配置され該凹部１１１の円弧状の内側面（上下面）に沿ってスライド移動する移動型物５０−２を備えたものである。そして移動型物５０−２には、コイルバネ６０を収納する略円弧状の凹部であるコイルバネ収納部５４−２が形成され、該コイルバネ収納部５４−２内には、円弧状の曲線棒状に形成された芯材６１−２が内部に挿通配置されたコイルバネ６０が設置されている。またコイルバネ６０の両端部には一対のガイド部材６２−２ｃ，６２−２ｄが取り付けられ、これらガイド部材６２−２ｃ，６２−２ｄの両外側にコイルバネ係止部４８−２ｃ，４８−２ｄが当接している。このコイルバネ係止部４８−２ｃ，４８−２ｄは、固定側部材１１０の正面側に被せて取り付けられる図示しない他の固定側部材であるカバー部材に一体に形成されていて、該カバー部材の内側の面から移動型物５０−２に向かって突出する突起状に形成されている。あるいは、コイルバネ係止部４８−２ｃ，４８−２ｄを固定側部材１１０に一体に形成することも可能である。
【００３２】
一方、移動型物５０−２の上面側には、固定側部材１１０の凹部１１１の上部に設けた貫通孔状のつまみ挿通部１１２を介して固定側部材１１０の上面側に設置したつまみ１０−２が一体に取り付けられている。また図示は省略するが、移動型物５０−２の背面側には摺動子が取り付けられていて、固定側部材１１０の背面側には該摺動子の摺動冊子が摺接するスイッチパターンが形成された回路基板が設置されており、これら摺動子とスイッチパターンとで電気的機能部が構成されている。なおこのスイッチパターンはスライド方向に沿った円弧形状に形成されている。
【００３３】
この図６に示すスライド式スイッチにおいても、同図に示す中立位置から、つまみ１０−２を介して移動型物５０−２を固定側部材１１０の凹部１１１内で円弧状の曲線に沿ってスライド方向にスライド移動させると、コイルバネ係止部４８−２ｃ又は４８−２ｄと、これに対向するコイルバネ収納部５４−２の内側面５４−２ｄ又は５４−２ｃとの間に挟まれたコイルバネ６０が、芯材６１−２でガイドされながら圧縮され、ガイド部材６２−２ｃ又は６２−２ｄがコイルバネ収納部５４−２の中央に設けたコイルバネ保持部５５−２に当接する位置までコイルバネ収納部５４−２内をスライド移動する。つまみ１０−２を操作する力を取り除くと、コイルバネ６０が芯材６１−２にガイドされながら元の形状に復帰して、移動型物５０−２が同図に示す中立位置に自動復帰する。
【００３４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、上記実施形態のスライド式スイッチが備えるガイド部材６２ｃ，６２ｄは、その設置を省略することも可能である。その場合は、コイルバネ６０の両端部がコイルバネ収納部５４の内側面５４ｃ，５４ｄに直接当接すると共に、下ケース４０のコイルバネ係止部４８ｃ，４８ｄがコイルバネ６０の両端部に直接当接するようにして、コイルバネ６０がコイルバネ収納部５４の内側面５４ｃ，５４ｄとコイルバネ係止部４８ｃ，４８ｄとの間に直接挟まれて圧縮されるようにする。
【００３５】
また、上記実施形態のスライド式スイッチでは、コイルバネ収納部５４が移動型物５０の上下に貫通する貫通穴からなる場合を示したが、コイルバネ収納部５４は、有底凹状の溝部として形成することもできる。その場合は、ガイド部材６２ｃ，６２ｄの移動がコイルバネ収納部５４の内側面５４ａ，５４ｂだけでなく底面によってもガイドされるように構成することが可能である。また、ガイド部材６２ｃ，６２ｄに設けた挿通部６３ｃ，６３ｄの形状は上記実施形態の貫通穴には限定されず、芯材６１によってガイド部材６２ｃ，６２ｄのスライド移動がガイドされるようになっていれば、溝部などの他の形状であってもよい。
【００３６】
また、上記実施形態のスライド式スイッチでは、ガイド部材６２ｃ，６２ｄがコイルバネ係止部４８ｃ，４８ｄやコイルバネ収納部５４の内側面５４ｃ，５４ｄに当接する際に接触音（当接音）が発生するおそれがある。そこでこの接触音を低減するために、ガイド部材６２ｃ，６２ｄのコイルバネ係止部４８ｃ，４８ｄや内側面５４ｃ，５４ｄに当接する部分にゴム等の弾性材からなる消音部材を取り付けてもよい。
【００３７】
また、上記実施形態のスライド式スイッチでは、移動型物５０にコイルバネ収納部５４を設け、下ケース４０にコイルバネ６０を係止するコイルバネ係止部４８ｃ，４８ｄを設けた場合を示したが、これとは逆に、図示は省略するが、下ケース４０にコイルバネ収納部を設け、移動型物５０にコイルバネ６０を係止するコイルバネ係止部を設けることもできる。また上記実施形態では、コイルバネ６０の両端部を係止する一対のコイルバネ係止部４８ｃ，４８ｄと、コイルバネ収納部５４の一対の内側面５４ｃ，５４ｄとを備え、移動型物５０が中立位置からその一方側及び他方側のいずれにスライド移動した際にも中立位置への復帰力が生じるように構成したが、これにかえて、いずれか一方のコイルバネ係止部４８ｃ又は４８ｄとこれに対向する内側面５４ｄ又は５４ｃのみを備え、移動型物５０が中立位置からいずれか一方に移動した際にだけ中立位置への復帰力が生じるように構成することも可能である。あるいは、移動型物５０が所定位置からそのいずれか一方側にだけ移動することができるように構成してもよい。
【００３８】
また、上記実施形態のスライド式スイッチでは、固定側部材である下ケース４０にコイルバネ６０を係止するコイルバネ係止部４８ｃ，４８ｄを設けた場合を説明したが、これ以外にも図示は省略するが、コイルバネ６０を係止するコイルバネ係止部を、他の固定側部材である取付部材９０の上面に突出させて該取付部材９０と一体に設けることも可能である。
【００３９】
また、上記実施形態のスライド式スイッチでは、つまみ１０と移動型物５０をそれぞれ別部材として備える場合を説明したが、つまみは、移動型物から突出する部分として移動型物と一体に形成することも可能である。
【図面の簡単な説明】
【００４０】
【図１】本発明の第１実施形態にかかるスライド式スイッチの分解斜視図（上側）である。
【図２】本発明の第１実施形態にかかるスライド式スイッチの分解斜視図（下側）である。
【図３】スライド式スイッチの組み立て方法を説明するための図で、コイルバネ６０とガイド部材６２ｃ，６２ｄをコイルバネ収納部５４に収納した収納状態を示す斜視図である。
【図４】スライド式スイッチの概略側断面図である。
【図５】スライド式スイッチの動作を説明するための図である。
【図６】本発明の第２実施形態にかかるスライド式スイッチの概略構成を示す正面図である。
【符号の説明】
【００４１】
１              スイッチ操作部
２              スイッチ機能部
１０            つまみ
３０            外装ケース
４０            下ケース（固定側部材）
４８ｃ，４８ｄ  コイルバネ係止部
４９ｃ，４９ｄ  位置決め部
５０            移動型物
５４            コイルバネ収納部（収納部）
５４ａ，５４ｂ  内側面（スライド方向に向かう内面）
５４ｃ，５４ｄ  内側面
５５            コイルバネ保持部
５６ｃ，５６ｄ  係止部
５７ｃ，５７ｄ  切込部
６０            コイルバネ
６１            芯材
６２ｃ，６２ｄ  ガイド部材
６３ｃ，６３ｄ  挿通部
７０            摺動子
７２            摺動冊子
８０            フレキシブル回路基板
８１            スイッチパターン
９０            取付部材（他の固定側部材）
１００          電気的機能部
【図１】
2007335189.tif 000003
【図２】
2007335189.tif 000004
【図３】
2007335189.tif 000005
【図４】
2007335189.tif 000006
【図５】
2007335189.tif 000007
【図６】
2007335189.tif 000008